(57)【特許請求の範囲】
【請求項１】
電気部品と、
導体層が形成された印刷配線板と、
弾性を有し、前記電気部品に取り付けられ前記導体層に弾性的に接触する第１接触端子と、
弾性を有し、前記電気部品に取り付けられ前記導体層に弾性的に接触する第２接触端子と、
前記電気部品と前記印刷配線板との間にある第１の保護部材と、
前記電気部品と前記印刷配線板との間にある第２の保護部材と、
前記電気部品と前記印刷配線板との間にある第３の保護部材と、
前記電気部品と前記印刷配線板との間にある第４の保護部材と、
から成り、
前記第１の保護部材と前記第２の保護部材と前記第３の保護部材と前記第４の保護部材とが線対称状態であり、かつ前記第１接触端子と前記第２接触端子との間に配置された電気部品取付装置。
【請求項２】
前記第１の保護部材と前記第２の保護部材と前記第３の保護部材と前記第４の保護部材が前記電気部品と一体に形成されたことを特徴とする請求項１記載の電気部品取付装置。
【請求項３】
凹部を有する第１筐体と、
前記凹部に収納された電気部品と、
第２筐体と、
前記第２筐体に取り付けられ導体層が形成された印刷配線板と、
弾性を有し、前記電気部品に取り付けられ前記導体層に弾性的に接触する第１接触端子と、
弾性を有し、前記電気部品に取り付けられ前記導体層に弾性的に接触する第２接触端子と、
前記電気部品と前記印刷配線板との間にあり、所定の厚さである第１の保護部材と、
前記電気部品と前記印刷配線板との間にあり、前記所定の厚さである第２の保護部材と、
前記電気部品と前記印刷配線板との間にあり、前記所定の厚さである第３の保護部材と、
前記電気部品と前記印刷配線板との間にあり、前記所定の厚さである第４の保護部材と、
から成り、
前記第１の保護部材と前記第２の保護部材と前記第３の保護部材と前記第４の保護部材とが線対称状態であり、かつ前記第１接触端子と前記第２接触端子との間に配置された電気部品取付装置。
【請求項４】
前記第１の保護部材と前記第２の保護部材と前記第３の保護部材と前記第４の保護部材が弾性部材で形成したことを特徴とする請求項１から３のいずれかに記載の電気部品取付装置。
【請求項５】
前記第１の筐体の一部に切欠き又は孔を設け、前記電気部品に前記切欠き又は孔に係合する突起を設けたことを特徴とする請求項３に記載の電気部品取付装置。
【請求項６】
請求項１から請求項５のいずれかに記載の電気部品取付装置を用いたことを特徴とする携帯情報端末。
【発明の詳細な説明】
【０００１】
【発明が属する技術分野】
本発明は、携帯電話機、ＰＤＡ（Personal Digital Assistant ；携帯情報端末）などの電気機器に使用するスピーカ、レシーバなどの電気部品に設けた接触端子に外力が加わるのを有効に防止することができる電気部品取付装置および携帯情報端末に関する。
【０００２】
【従来の技術】
一般に、携帯電話機、ＰＤＡなどの電気機器において、スピーカ、レシーバなどの電気部品を取付ける場合、図４に示すように、電気機器を構成する第１の筐体１０１に凹部１０２を形成し、この凹部１０２に電気部品１０３を収納し、第１の筐体１０１を第２の筐体１０４に接合・合体させたとき、電気部品１０３に設けた弾性を有する接触端子１０５が第２の筐体１０４に取付けられた印刷配線板（プリント基板）１０６に接触し、両者が互いに電気的に接続されるように構成することが多い。
【０００３】
【発明が解決しようとする課題】
しかしながら、このように構成した場合、電気機器に大きな外力や衝撃力が加わると、つまり、電気部品１０３に設けた接触端子１０５に前記弾性力を越える大きな外力が加わると、接触端子１０５そのものが元の状態に復帰できなくなる虞がある。その結果、印刷配線板１０６との間で充分な接触力を確保できなくなったり、極端な場合には、接触端子１０５が変形して印刷配線板１０６に接触できなくなったりする、という問題があった。
【０００４】
特に、近年、電気機器が薄型化され、筐体も薄型化していることが多いことから、このような薄型構成の電気機器にあっては、接触端子と印刷配線板との間の空間的な余裕が大幅に狭められていることが多い。そのため、大きな衝撃力が外から加わると、その外力が接触端子に直接伝わり易く、これによって接触端子が破損して接触不良をもたらすといったトラブルを招く虞があり、これに対する対策が求められている。
【０００５】
また、電気機器に使用するスピーカ、レシーバなどの電気部品では、これを組み付けるときやこれら部品の製造のときに、例えば公差を上回るような大きな誤差などを生じていると、前述した場合と同様に、接触端子とこれが接触する印刷配線板との接触状態が不確実で、不安定になる虞がある。
しかも、通常、電気部品に設けた接触端子の接触先である印刷配線板との接圧は適正値が予め設定されていることが多いので、この電気部品を組付けたときに、この接圧調整を行う際には、接触端子の取付状態、組付部材との組付状態、或いは印刷配線板の組付部材との組付状態などを調整することが必要になり、その結果、接圧の設定調整作業に困難を伴う場合が多い。
【０００６】
そこで、本発明は、以上のような従来の問題を解決するものであり、電気機器に大きな衝撃力が作用しても接触不良を起こし難く、しかも接圧調整が容易な電気部品取付装置および携帯情報端末を提供することを目的とするものである。
【０００７】
【課題を解決するための手段】
本発明の電気部品取付装置は、電気部品と、導体層が形成された印刷配線板と、弾性を有し、前記電気部品に取り付けられ前記導体層に弾性的に接触する第１接触端子と、弾性を有し、前記電気部品に取り付けられ前記導体層に弾性的に接触する第２接触端子と、前記電気部品と前記印刷配線板との間にある第１の保護部材と、前記電気部品と前記印刷配線板との間にある第２の保護部材と、前記電気部品と前記印刷配線板との間にある第３の保護部材と、前記電気部品と前記印刷配線板との間にある第４の保護部材と、から成り、前記第１の保護部材と前記第２の保護部材と前記第３の保護部材と前記第４の保護部材とが線対称状態であり、かつ前記第１接触端子と前記第２接触端子との間に配置された電気部品取付装置である。
【０００８】
この構成により、印刷配線板や電気部品を取付ける筐体に大きな外力が加わっても接触端子には外力がほとんど加わらず、その弾性力が阻害されることがなく、常に印刷配線板との間の電気的接続を良好な状態に保持できるという作用を有する。
【０００９】
また、本発明の電気部品取付装置は、前記第１の保護部材と前記第２の保護部材と前記第３の保護部材と前記第４の保護部材が前記電気部品と一体に形成された構成とした。
【００１０】
この構成により、保護部材を別個に設ける必要がなく、その構成が極めて簡単になり、しかも、接触端子との間で容易に最適の大きさに設定することができるという利点を有する。
【００１１】
また、本発明の電気部品取付装置は、凹部を有する第１筐体と、前記凹部に収納された電気部品と、第２筐体と、前記第２筐体に取り付けられ導体層が形成された印刷配線板と、弾性を有し、前記電気部品に取り付けられ前記導体層に弾性的に接触する第１接触端子と、弾性を有し、前記電気部品に取り付けられ前記導体層に弾性的に接触する第２接触端子と、前記電気部品と前記印刷配線板との間にあり、所定の厚さである第１の保護部材と、前記電気部品と前記印刷配線板との間にあり、前記所定の厚さである第２の保護部材と、前記電気部品と前記印刷配線板との間にあり、前記所定の厚さである第３の保護部材と、前記電気部品と前記印刷配線板との間にあり、前記所定の厚さである第４の保護部材と、から成り、前記第１の保護部材と前記第２の保護部材と前記第３の保護部材と前記第４の保護部材とが線対称状態であり、かつ前記第１接触端子と前記第２接触端子との間に配置された構成とした。
【００１２】
この構成により、電気機器が薄型化され、落下、その他で、筐体に大きな外力が加わっても、接触端子と印刷配線板との接触に余り大きな影響を与えることはほとんどなく、常に良好な接続状態が得られるという作用を有する。
【００１３】
また、本発明の電気部品取付装置は、前記第１の保護部材と前記第２の保護部材と前記第３の保護部材と前記第４の保護部材が弾性部材で形成した。
【００１４】
この構成により、印刷配線板や電気部品を取付ける筐体に大きな外力が加わっても弾性部材が変位・変形することでその外力を吸収して接触端子に外力が作用するのを抑え込むことができ、印刷配線板との間の電気的接続をさらに良好な状態に保持できる。
【００１５】
また、本発明の電気部品取付装置は、前記第１の筐体の一部に切欠き又は孔を設けるとともに、前記電気部品に前記切欠き又は孔に係合する取付け向き確認用の突起を設けた。
【００１６】
この構成により、電気部品を設置する際に、その電気部品の向きや姿勢、つまり設置方向が容易に確認できるので、誤って異なる方向に設置するのを防止できるようになる。
また、本発明の携帯端末装置は、前述した電気部品取付装置を用いた。
【００１７】
【発明の実施の形態】
以下、本発明の一実施の形態における電気部品取付装置および携帯情報端末について、図面を用いて詳細に説明する。図１は、本発明の一実施の形態における電気部品取付装置および携帯情報端末の概略断側面図、図２は、同装置のII−II線断側面図、図３は、同装置および携帯情報端末において取付けられる電気部品の背面図である。
【００１８】
図１及び図２は、本発明の一実施の形態に係る電気部品取付装置が適用された電気機器を示すものであり、この電気機器は、大略構成として、第１の筐体（内側筐体）１と、第２の筐体（外側筐体）２と、これらを接合して形成された筐体の内部に配設する印刷配線板（プリント基板）３とを備えており、この第１の筐体１と印刷配線板（プリント基板）３との間にこの発明に係る電気部品取付装置を備えた電気部品であるレシーバ４が設置されている。
なお、この実施の形態では、電気機器として携帯電話機が用いられているが、これ以外に、例えばＰＤＡ（Personal Digital Assistant；携帯情報端末）などでもよい。
【００１９】
第１の筐体１には、筒状の突堤１１が内面から突出して一体に形成されており、この突堤１１で囲まれた凹部１１ａを構成する内面部分にレシーバ４が収納・保持されている。また、この第１の筐体１には、突堤１１で囲設された領域に透孔１２が形成されている。すなわち、このレシーバ４は、凹部１１ａに収納保持され、レシーバ４からの音声は透孔１２を通して筐体外部に放出されるように構成されている。
【００２０】
また、第１の筐体１は、前述したように、第２の筐体２に接合・合体可能なように構成されており、両者を合体して筐体を形成したとき、後述するレシーバ４に取付けられた弾性を有する接触端子４ａが、第２の筐体２に取付けられた後述する印刷配線板３の所定の導体層３１に弾性的に接触し、両者が互いに電気的に接続されるように構成されている。
【００２１】
なお、この第１の筐体１には、筒状の突堤１１の一方側に、この突堤１１で囲まれた凹部１１ａに収納するレシーバ４の位置決め（保持）とともに、レシーバ４の取付け向きを容易に確認して収納させるための切欠き（又は孔）１１ｂ（図２参照）を設けており、レシーバ４の対応する部位に設けた突起４ｃがこれに係合するように構成されている。
【００２２】
一方、第２の筐体２には、筒状の突堤１１で囲設した領域の中央部に対応する部位にリブ２１を形成しており、印刷配線板（プリント基板）３が固定または支承されて保持されている。
【００２３】
印刷配線板（プリント基板）３には、後述するレシーバ４に取付けられた接触端子４ａが弾性的に接触して双方の間が電気的に導通される導体層（ランドやパッドなど）３１が形成されている。
【００２４】
そして、レシーバ４には、図３に示すように印刷配線板（プリント基板）３の導体層（ランドやパッドなど）３１と適正な接圧で接触する接触端子４ａを左右線対称位置に突設させており、双方の接触端子４ａのバランスを取り易いようになっている。また更に、このレシーバ４には、図１から図３に示すように、接触端子４ａと同方向に所要長さだけ突出する保護部材４ｂが一体に４箇所、線対称状態で形成されており、第１の筐体１を第２の筐体６に接合・合体したとき、保護部材４ｂの下端面が印刷配線板３の上面に当接し、レシーバ４と印刷配線板３との間の距離が予め定めた一定値以下にならないように４箇所で安定した状態に規制している。なお、このレシーバ４では、接触端子４ａの接圧を適正値に設定したときの突出長さを予め求めておき、これに合わせて保護部材４ｂの突出長さを形成することで、接触端子４ａの接圧を容易に設定・調整することができるようになっている。
【００２５】
この保護部材４ｂは、所定の硬度を有するゴムブッシング（或いは防振ゴムなど）などの弾性部材で構成してもよい。このようなゴムブッシングで構成すれば、各部材の製造の際の誤差やそれらの組付けの際の誤差が多少発生していても、このゴムの変位・変形などによって効果的に吸収させることができる。
【００２６】
したがって、本実施の形態によれば、落下、その他で大きな衝撃力が第１の筐体１、或いは第２の筐体２やその他の部分に加わっても、それによってレシーバ４と印刷配線板３との間隔が保護部材４ｂによって保持されている。したがって、このレシーバ４と印刷配線板３との間隔が予め定めた一定以下になることはほとんどなく、そのため、レシーバ４に取付けた弾性を有する接触端子４ａにも余計な力が作用せず、接触端子４ａは、常時、印刷配線板３と良好な電気的接続を維持することになる。
【００２７】
特に、接触端子４ａに大きな外力が作用した場合には、接触端子４ａそのものが変形し、印刷配線板７との間で充分な弾性接触力が得られないということだけではなく、印刷配線板との接触位置も移動し、所定の位置に接触しないということも起こり得ることが考えられるが、本実施の形態によれば、接触端子４ａに大きな外力が加わること自体を阻止しているため、このようなことはほとんど起こり得ず、常に、良好な接触状態が維持できるという利点を有する。
【００２８】
なお、本実施の形態では、前述したように、電気部品としてレシーバ４を例に挙げ、その取付装置について説明したが、本発明は、レシーバ４に限定することなく、スピーカ、その他の電気部品にも同様に適用可能であることは言うまでもないことである。
【００２９】
また、本実施の形態では、保護部材４ｂをレシーバ４に一体に形成しているが、保護部材４ｂは、レシーバ４と一体でなくてもよい。要するに、レシーバ４（電気部品）と印刷配線板３との間の距離を一定以下にならないように規制するものであれば、如何なるものであってもよいことは言うまでもないことである。
【００３０】
【発明の効果】
以上、本発明の電気部品取付装置および携帯情報端末によれば、落下、その他で筐体などに大きな衝撃力が加わっても、電気部品に設けた弾性を有する接触端子には保護部材の働きによってほとんどその大きな外力が加わらず、接触端子と印刷配線板との接触を常に良好な状態に保持できるという効果を有する。
【００３１】
しかも、本発明によれば、例えば保護部材の突出長さを長短適宜に調整することで、接触端子と印刷配線板の導体層との接圧を設定・調整することが可能になるので、接圧調整作業が容易になるという効果も有する。
【図面の簡単な説明】
【図１】本発明の一実施の形態における電気部品取付装置の概略断側面図である。
【図２】本発明の一実施の形態における電気部品取付装置のII−II線断側面図である。
【図３】本発明の一実施の形態における電気部品取付装置において取付けられる電気部品の背面図である。
【図４】従来の電気部品取付装置の断側面図である。
【符号の説明】
１      第１の筐体
１１    突堤
１１ａ  凹部
１１ｂ  切欠き
１２    透孔
２      第２の筐体
２１    リブ
３      印刷配線板
３１    導体層
４      レシーバ（電気部品）
４ａ    接触端子
４ｂ    保護部材
４ｃ    突起
【図１】
0003995518.tif 000002
【図２】
0003995518.tif 000003
【図３】
0003995518.tif 000004
【図４】
0003995518.tif 000005